(57)【要約】    【課題】      機器ボタン又はテレコン制御で機器操作した場合、その時の制御方向を表示することができ、特に機器ボタンでの操作時には手元で制御方向を確認できるようにすること。    【解決手段】  親機１６−１又は子機１６−２に設けた機器ボタン２１６によってテレコントロール装置１６に制御指示を入力する。又は、電話回線を介したテレコントロールによってテレコントロール装置１６に制御指示を入力する。テレコントロール装置１６は、制御指示を受けて被操作対象機器に対する制御内容を確定して制御内容記憶部２０９に書き込む。確定した制御内容と機器状態記憶部２１３に記憶している被操作対象機器の現在の機器状態とに基づいて制御方向を判定する。制御方向がＯＦＦからＯＮ方向で有れば、機器ボタン２１６と一体的に設けた機器ランプ２１５を所定時間点灯し、制御方向がＯＮからＯＦＦ方向ならば所定時間消灯する。  【選択図】      図２
2005175817.tif 000002
【特許請求の範囲】
【請求項１】
被操作対象機器に対する制御指示を入力する機器ボタンと、少なくとも制御方向を知らせる報知手段と、前記機器ボタンによって入力された制御指示又は電話回線を介したテレコン制御によって入力された制御指示を受けて前記被操作対象機器に対する制御内容を確定する制御内容確定手段と、確定した制御内容と前記被操作対象機器の現在の機器状態とに基づいて制御方向を判定して前記報知手段に制御方向を報知させる制御方向判定手段と、前記確定した制御内容を前記被操作対象機器又はそのワイヤレスリモコンに送信する制御信号送信手段と、を具備したテレコントロール装置。
【請求項２】
機器状態が「ＯＮ」の被操作対象機器に対して「ＯＮ」の制御指示が入力された場合、前記報知手段で警告を発することを特徴とする請求項１記載のテレコントロール装置。
【請求項３】
機器状態が「ＯＦＦ」の被操作対象機器に対して「ＯＦＦ」の制御指示が入力された場合、前記報知手段で警告を発することを特徴とする請求項１記載のテレコントロール装置。
【請求項４】
前記報知手段は、機器ボタン操作直後は制御方向を知らせ、その後に機器制御後の確定した機器状態を知らせることを特徴とする請求項１又は請求項２記載のテレコントロール装置。
【請求項５】
前記制御内容確定手段は、制御指示の一つである「反転」が、前回の「反転」制御後、所定時間経過前に再び入力された場合、前回の操作とは反対方向の制御を制御内容として確定する請求項１から請求項４のいずれかに記載のテレコントロール装置。
【請求項６】
前記報知手段は、前記機器ボタンと一体的に設けられた機器ランプで構成され、各機器ランプは操作パネル上に機器ボタンと共に配列されていることを特徴とする請求項１から請求項５のいずれかに記載のテレコントロール装置。
【請求項７】
電話回線を介して受信した制御指示に応じて被制御機器を制御するとともに機器ボタンの操作によっても被制御機器を制御するテレコントロール装置における表示制御方法であって、前記機器ボタンによって前記テレコントロール装置に入力された制御指示又は電話回線を介したテレコン制御によって前記テレコントロール装置に入力された制御指示を受けて被操作対象機器に対する制御内容を確定し、確定した制御内容と前記被操作対象機器の現在の機器状態とに基づいて制御方向を判定し、その判定した制御方向を被操作対象機器に対応して設けられた機器ランプに反映させることを特徴とする表示制御方法。
【発明の詳細な説明】
【技術分野】
【０００１】
本発明は、照明機器やエアコンディショナー（以下、エアコンという）等の電気機器を機器ボタン又はテレコン制御でＯＮ／ＯＦＦ操作可能なテレコントロール装置に関する。
【背景技術】
【０００２】
電話回線を使用したテレコントロールによる電気機器の遠隔制御においては、電気機器と制御機器（テレコントロール装置）との間をＪＥＭ−Ａインターフェースを介した有線にて接続し、被操作機器である電気機器から動作状態を示す信号をテレコントロール装置が受信して状態を確認し、反転制御の場合はその状態を反転するように制御信号を生成して電気機器に与えていた。
【０００３】
一方、照明機器、エアコンのスイッチとしてワイヤレスリモコン装置（以下、リモコンという）を使用するものが増加しており、電灯線を壁に設置したスイッチでＯＮ／ＯＦＦするタイプの照明等は少なくなっている。
【０００４】
例えば、電話回線を用いた外部の電話機からエアコンのＯＮ／ＯＦＦやモニタをすることができるようにしたものが知られている（例えば特許文献１参照）。
【特許文献１】特開平１−４９８４２号公報
【発明の開示】
【発明が解決しようとする課題】
【０００５】
しかしながら、従来のテレコントロール装置では、機器ボタンで機器操作した場合、確定した機器状態をランプ点灯／消灯等の制御で表示することはできたが、機器ボタンを１度押しただけではその時の制御方向を知ることはできなかった。
【０００６】
本発明は、機器ボタン又はテレコン制御で機器操作した場合、その時の制御方向を表示することができ、特に機器ボタンでの操作時には手元で制御方向を確認できるテレコントロール装置を提供することを目的とする。
【課題を解決するための手段】
【０００７】
本発明は、機器に対する制御内容がＯＮ又はＯＦＦの場合は、制御方向を判断して制御方向を表示し、その後に機器状態が確定したら確定した機器状態を表示するようにした。
【発明の効果】
【０００８】
本発明は、機器ボタン又はテレコン制御で機器操作した場合、その時の制御方向を表示することができ、特に機器ボタンでの操作時には手元で制御方向を確認できるテレコントロール装置を提供できる。
【発明を実施するための最良の形態】
【０００９】
本発明の第１の態様は、被操作対象機器に対する制御指示を入力する機器ボタンと、少なくとも制御方向を知らせる報知手段と、前記機器ボタンによって入力された制御指示又は電話回線を介したテレコン制御によって入力された制御指示を受けて前記被操作対象機器に対する制御内容を確定する制御内容確定手段と、確定した制御内容と前記被操作対象機器の現在の機器状態とに基づいて制御方向を判定して前記報知手段に制御方向を報知させる制御方向判定手段と、前記確定した制御内容を前記被操作対象機器又はそのワイヤレスリモコンに送信する制御信号送信手段と、を具備したテレコントロール装置である。
【００１０】
以上のように構成されたテレコントロール装置によれば、確定した制御内容と被操作対象機器の現在の機器状態とに基づいて制御方向を判定して報知手段に制御方向を報知させるので、「反転」操作の場合であっても制御方向を表示することができる。
【００１１】
本発明の第２の態様は、第１の態様のテレコントロール装置において、機器状態が「ＯＮ」の被操作対象機器に対して「ＯＮ」の制御指示が入力された場合、前記報知手段で警告を発することとした。
【００１２】
これにより、機器状態が「ＯＮ」の被操作対象機器に対して「ＯＮ」の制御指示が入力されたら、報知手段で警告を発するので、例えば、明るい状態の照明機器に対して「ＯＮ」操作しようとしている場合には既に「ＯＮ」状態となっていることを知らせることができる。
【００１３】
本発明の第３の態様は、第１の態様のテレコントロール装置において、機器状態が「ＯＦＦ」の被操作対象機器に対して「ＯＦＦ」の制御指示が入力された場合、前記報知手段で警告を発することとした。
【００１４】
これにより、機器状態が「ＯＦＦ」の被操作対象機器に対して「ＯＦＦ」の制御指示が入力されたら、報知手段で警告を発するので、例えば、暗い状態の照明機器に対して「ＯＦＦ」操作しようとしている場合には既に「ＯＦＦ」状態となっていることを知らせることができる。
【００１５】
本発明の第４の態様は、第１又は第２の態様のテレコントロール装置において、前記報知手段は、機器ボタン操作直後は制御方向を知らせ、その後に機器制御後の確定した機器状態を知らせることとした。
【００１６】
これにより、制御方向と確定した機器状態との２つを一つの報知手段で２段階表示することが出来る。
【００１７】
本発明の第５の態様は、第１から第４のいずれかの態様のテレコントロール装置において、前記制御内容確定手段は、制御指示の一つである「反転」が、前回の「反転」制御後、所定時間経過前に再び入力された場合、前回の操作とは反対方向の制御を制御内容として確定することとした。
【００１８】
これにより、所定時間内に「反転」指示を繰り返し入力することにより、制御内容が強制的に反対方向の制御となるように制御されるので、何らかの事情で機器状態が常に同一状態として検出される場合であっても制御内容を反転させることができる。
【００１９】
本発明の第６の態様は、第１から第５のいずれかの態様のテレコントロール装置において、前記報知手段は、前記機器ボタンと一体的に設けられた機器ランプで構成され、各機器ランプは操作パネル上に機器ボタンと共に配列されているものとした。
【００２０】
これにより、機器ボタンと機器ランプとが一体的に設けられているので、操作者は機器ボタンを操作した手元において制御方向を認識することができる。
【００２１】
本発明の第７の態様は、電話回線を介して受信した制御指示に応じて被制御機器を制御するとともに機器ボタンの操作によっても被制御機器を制御するテレコントロール装置における表示制御方法であって、前記機器ボタンによって前記テレコントロール装置に入力された制御指示又は電話回線を介したテレコン制御によって前記テレコントロール装置に入力された制御指示を受けて被操作対象機器に対する制御内容を確定し、確定した制御内容と前記被操作対象機器の現在の機器状態とに基づいて制御方向を判定し、その判定した制御方向を被操作対象機器に対応して設けられた機器ランプに反映させることを特徴とする表示制御方法である。
【００２２】
以下、本発明のテレコントロール装置を適用可能なテレコントロールシステムの一実施の形態について図面を参照して具体的に説明する。
【００２３】
図１は、テレコントロールシステムのシステム概要を示す図である。宅内に照明機器１１、エアコン１２，電動シャッター１３，床暖房器具１４，電気錠１５等の電気機器が設置されている状態を示している。
【００２４】
テレコントロール装置１６は、親機１６−１と子機１６−２とから構成されている。親機と子機を区別しない場合は「テレコントロール装置１６」として説明する。親機１６−１は電話回線に接続されている。宅外から電話回線を介してテレコントロール装置１６に操作信号を送る。テレコントロール装置１６は、電話回線を介して送られてくる操作信号に基づいて、被操作対象機器の動作を制御する。
【００２５】
照明機器１１をリモコン１８から赤外線で操作するように構成している。テレコントロール装置１６からリモコン１８へ制御信号を送信し、制御信号を受信したリモコン１８が照明機器１１へ赤外線にて信号を送信する。リモコン１８の操作部を直接操作しても照明機器１１を操作できる。エアコン１２に対してはリモコン１９を使用する。
【００２６】
図２にテレコントロール装置１６及びリモコン１８の機能ブロック図を示す。テレコントロール装置１６は、後で説明する種々の制御を実行する制御装置２０１を備える。この制御装置２０１の周辺に各種構成要素が配置されている。各構成要素は次の通りである。
【００２７】
電話回線から到来する信号を検出する検出部を備える。着信信号を検出する着信信号検出部２０２、ＰＢ信号を検出するＰＢ信号検出部２０３、ナンバーディスプレイ信号を検出するナンバーディスプレイ信号検出部２０４である。また、応答制御を行う応答制御装置２０５を備える。これらの構成要素２０２から２０５により電話回線からの信号を検出すると共に適切な応答制御を行う。
【００２８】
リモコン１８に対して制御信号を送信する制御信号送信部２０６、リモコン１８から到来する状態通知信号を受信する状態通知信号受信部２０７、テレコン設定値を記憶するテレコン設定値記憶部２０８を備える。
【００２９】
照明機器１１に対する「ＯＮ」「ＯＦＦ」「順送り」「反転」等の制御内容を記憶する制御内容記憶部２０９、任意の時刻情報を記憶する時刻記憶部２１０、時刻を計時する時刻計時部２１１、反転制御後の経過時間を計時する反転制御計時部２１２を備える。
【００３０】
状態通知信号で通知される照明機器１１の機器状態を記憶する機器状態記憶部２１３、機器ランプ２１５の点滅周期を制御する点滅周期制御装置２１４を備える。本例では機器ランプ２１５をＬＥＤで構成している。
【００３１】
また、制御装置２０１に対して、ユーザが操作する機器ボタン２１６、表示手段としてのＬＣＤ２１７が接続され、さらに外部照度センサ２１９がライン接続される端子２１８が設置される。また、制御内容に関して制御方向の履歴を書き込む制御方向履歴記憶部２２０を備える。
【００３２】
リモコン１８は、後で説明する種々の制御を実行する制御装置２３１を備える。この制御装置２３１の周辺に各種構成要素が配置されている。各構成要素は次の通りである。
【００３３】
テレコントロール装置１６から送信した制御信号を受信する制御信号受信部２３２、テレコントロール装置１６へ状態通知信号を送信する状態通知信号送信部２３３、リモコン１８周囲の照度を検出する内部照度センサ２３４、内部照度センサ２３４の測定値を記憶する内部照度センサ記憶部２３５、照明機器１１の機器状態を記憶する機器状態記憶部２３６を備える。
【００３４】
リモコン１８に設置したマイク２３９から出力する音声信号を増幅する音声増幅部２３７、音声観測カウンタ２３８、リモコン１８に設置した赤外線ランプ２４１を制御する点滅周期制御部２４０を備える。また、照明機器１１が設置された部屋の窓近傍に設置した外部照度センサ２４３がライン接続する端子２４２を備える。外部照度センサ２４３は窓から入る外光（建物外部からの光）を検知する。
【００３５】
ここで、照明機器１１に対するテレコン操作の概要について説明する。図３は照明機器１１をテレコン操作にてＯＮ／ＯＦＦ制御する概念を示している。例えば、携帯電話機Ｍから公衆回線網を介してテレコントロール装置１６に回線接続し、携帯電話機Ｍのボタンを操作して、「反転」コマンド、「順送り」コマンド、「ＯＮ」コマンド、「ＯＦＦ」コマンドのいずれかを送信する。図３において、親機１６−１の機器ボタン２１６ａに照明機器１１を割り付けている。親機１６−１は「ＯＮ」コマンドの信号を受信した場合、照明機器１１を点灯させる赤外線コマンドをリモコン１８から送信させる制御信号をリモコン１８へ送る。この制御信号を受けたリモコン１８は、照明機器１１を点灯させる赤外線コマンド「ＯＮ」を照明機器１１へ赤外線送信する。この結果、照明機器１１は点灯する。逆に、点灯中の照明機器１１を消灯させる場合、親機１６−１は「ＯＦＦ」コマンドの信号を受信し、照明機器１１を消灯させる赤外線コマンド「ＯＦＦ」をリモコン１８から送信させる制御信号をリモコン１８へ送る。この制御信号を受けたリモコン１８は、照明機器１１を消灯させる赤外線コマンド「ＯＦＦ」を照明機器１１へ赤外線送信する。この結果、照明機器１１は消灯する。また、親機１６−１は「反転」コマンドを受信した場合、照明機器１１の現在の機器状態が点灯又は消灯かを判定し、反転する方向の制御内容となる「ＯＦＦ」又は「ＯＮ」の制御信号をリモコン１８へ送信する。この制御信号を受けたリモコン１８は、照明機器１１を消灯させる赤外線コマンド「ＯＦＦ」又は点灯させる赤外線コマンド「ＯＮ」を照明機器１１へ赤外線送信する。このように、照明機器１１に対してＯＮ−ＯＦＦ−ＯＮ…と、反転方向の赤外線コマンドを送出する方式をＯＮ／ＯＦＦ制御と呼ぶものとする。
【００３６】
図４は照明機器１１をテレコン操作にて順送り制御する概念を示している。同一の赤外線コマンド「順送り」を照明機器１１に対して繰り返し与えることで、機器状態を「２管点灯」−「１管点灯」−「ナツメ点灯」−「消灯」、の順番に遷移させる。テレコン時は、携帯電話機Ｍで「順送り」コマンドを送信する操作だけの単一操作を行うことになる。このように、照明機器１１に対して「順送り」の赤外線コマンドを繰り返し送出する方式を順送り制御と呼ぶものとする。
【００３７】
次に、以上のように構成されたテレコントロールシステムの動作について具体的に説明する。
【００３８】
本例では、リモコン１８が照明機器１１の機器状態を検出できるように構成しているので、リモコン１８の動作内容から説明する。
【００３９】
リモコン１８は、テレコントロール装置１６からの制御信号を受信する処理を実行する。リモコン１８の制御装置２３１は、制御信号受信部２３２を確認し、制御信号を受信していれば、制御内容の判定を行う。制御内容が「ＯＮ」であると判定した場合、点滅周期制御部２４０に赤外線コマンド「ＯＮ」の送信を指示する。この結果、照明機器１１は赤外線コマンド「ＯＮ」に応じて点灯するものとなる。また、制御内容が「ＯＦＦ」であると判定した場合、点滅周期制御部２４０に赤外線コマンド「ＯＦＦ」の送信を指示する。この結果、照明機器１１は赤外線コマンド「ＯＦＦ」に応じて消灯するものとなる。
【００４０】
また、制御内容が「順送り」であると判定した場合、点滅周期制御部２４０に赤外線コマンド「順送り」の送信を指示する。この結果、照明機器１１は赤外線コマンド「順送り」に応じて点灯状態を１つ遷移させるものとなる。
【００４１】
上記制御信号受信処理が実行された後、照度センサ状態記憶処理が実行される。照度センサ状態記憶処理ではリモコン１８に設置した内部照度センサ２３４を使用して操作後の点灯状態を検知して保存する。すなわち、リモコン１８に設置した内部照度センサ２３４の測定値(ア)を読み取り、前回の読み取り値(イ)（赤外線コマンド送信前の照度）を内部照度センサ記憶部２３５から読み出す。前回の赤外線コマンド送信直後の照度測定値(イ)と今回の赤外線コマンド送信後の照度測定値(ア)との差分を計算する。その結果、差分値が、照度変化があったことを示しており、且つ今回の赤外線コマンド送信後の照度測定値(ア)がしきい値を越えていれば、機器状態記憶部２３６の内容を反転方向に書き換える。赤外線コマンドの送信によって照明機器１１の機器状態が確かに変化したことを照度変化から確認できたので、機器状態記憶部２３６の内容をＯＮからＯＦＦ、又はＯＦＦからＯＮへと書き換えたことになる。
【００４２】
一方、ＯＮ／ＯＦＦ制御において反転方向の赤外線コマンドを送信したが照明機器１１の機器状態の変化を照度変化から検出できなかった場合、又は照度変化はあったが照度測定値(ア)の値がしきい値より小さかった場合は、機器状態記憶部２３６の書き換えは行わない。照度測定値(ア)の値がしきい値より小さい場合、照明機器１１の状態変化によるものではなく、外光等の変化によるものと予想されるからである。そして、今回の照度測定値(ア)を内部照度センサ記憶部２３５へ書き込んで処理を終了する。
【００４３】
このように、照明機器１１から直接照明される箇所にリモコン１８を配置して、リモコン１８に設けた内部照度センサ２３４で照明状態を検知し、その検知した照明状態を内部照度センサ記憶部２３５へ書き込むので、照明機器１１に動作状態を送信する機能を搭載していなくても、現在の照明機器１１の動作状態を正確に把握してリモコン１８に記憶することができる。
【００４４】
また、マイク２３９の検知結果に基づいて内部照度センサ２３４で照明状態を検知し、その検知した照明状態を内部照度センサ記憶部２３５へ書き込むように構成してもよい。赤外線コマンドの送信が完了したことを確認できたならば、マイク２３９のスイッチをＯＮして集音可能な状態する、「マイクＯＮ時間」のカウント値をセットする。一般の照明機器１１はＯＮ操作（点灯）のときは「ピッ」という短音を発するが、ＯＦＦ操作（消灯）のときは「ピー」という長音を発する。この音は制御信号を受信したときに発生する受信音である。この制御信号受信音の種別を判定する。先ず、マイク２３９の出力信号を増幅している音声増幅部２３７の出力信号を監視してマイク入力の有無を判定する。マイク入力を検出すると、入力音声周波数を分析して制御信号受信音であるか否か判断する。制御信号受信音であれば、音声観測カウンタ２３８のカウント値をインクリメントする。ここで、マイク入力が継続している間は、制御信号受信音の長さに応じた値が音声観測カウント値として計測される。音声観測カウント値が「ＯＦＦ」の規定時間を示しているか又は「ＯＮ」の規定時間を示しているかを判断する。「ＯＦＦ」の規定時間を示していると判断した場合は機器状態記憶部２３６に「ＯＦＦ」を書き込む。また、「ＯＮ」の規定時間を示していると判断した場合は機器状態記憶部２３６に「ＯＮ」を書き込む。
【００４５】
このように、照明機器１１が発する制御信号受信音の長さを測定して機器状態を検出し、検出した機器状態を機器状態記憶部２３６に書き込むので、照明機器１１に動作状態を送信する機能を搭載していなくても、リモコン１８において照明機器１１の機器状態を把握することができる。
【００４６】
上記マイク検知音により機器状態を把握する構成は、上記した内部照度センサ２３４により機器状態を把握する構成の代替となるものであり、どちらか一方を備えればよい。図２では説明の都合上、一緒に記載している。
【００４７】
以上のようにして機器状態記憶部２３６に機器状態を書き込む照度センサ状態記憶処理を実行した後、機器状態記憶部２３６に書き込まれた機器状態をテレコントロール装置１６へ送信する。
【００４８】
一方、エアコン１２を操作するリモコン１９は、リモコン１８のようなエアコン１２の動作状態を把握する機能は搭載していない。したがって、リモコン１９は、テレコントロール装置１６から受信する制御内容に応じた赤外線コマンドをエアコン１２に対して送信するが、その結果としてのエアコン１２の動作状態は検出できない。このため、リモコン１９は、図２に示すリモコン１８の機能ブロックにおける内部照度センサ２３４，内部照度センサ記憶部２３５，端子２４２，外部照度センサ２４３，マイク２３９，音声増幅部２３７，音声観測カウンタ２３８，機器状態記憶部２３６，状態通知信号送信部２３３は備えていない。
【００４９】
また、その他の電気機器（電気錠１５等）は、ＪＥＭ−Ａインターフェースを介してテレコントロール装置１６に有線接続されている。したがって、テレコントロール装置１６に対して機器状態を示す状態通知信号を送信する機能を備えているものとする。
【００５０】
次に、以上のように構成されたテレコントロール装置１６の具体的な動作について説明する。
【００５１】
テレコントロール装置１６において制御装置２０１は、定期的に状態通知信号受信部２０７を確認してリモコン１８及び有線ＪＥＭ−Ａ接続している電気機器からの状態通知信号を確認し、通知された機器状態を機器状態記憶部２１３へ書き込む。
【００５２】
また、テレコントロール装置１６の機器ボタン２１６を介して信号が入力すれば、機器ボタン押下処理を実行する。また電話回線を介してテレコン制御の要求があればテレコン制御処理を実行する。最初に、機器ボタン押下処理について説明する。
【００５３】
今、図５に示すように、機器ボタン２１６の中から被操作対象機器に対応した「機器１」ボタンを押下するものとする。
【００５４】
図６は機器ボタン押下処理に関するフロー図である。機器ボタン２１６が押下されたことを検知すると（Ｓ１０１）、テレコン設定値記憶部２０８から押下された機器ボタン２１６に対応した機器のテレコン設定値を読み出す（Ｓ１０２）。
【００５５】
図７はテレコン設定値記憶部２０８に記憶したテーブルデータを示している。機器番号に対応させて「機器名称」「制御方式」「機器状態取得」を登録可能になっている。例えば、エアコン１２は、親機１６−１では機器番号「３」で「制御方式」はＯＮ／ＯＦＦ制御方式が登録されている。前述したように、エアコン１２はリモコン１９を介しての制御であって「機器状態取得」は不可である。
【００５６】
次に、図７のテレコン設定値から被操作対象機器の制御方式を判定する（Ｓ１０３）。制御方式が「リモコン制御」でない場合は、本例では有線ＪＥＭ−Ａ方式であるのでステップＳ１０４へ移行して、従来通りの有線ＪＥＭ−Ａ方式に基づいた制御を実行する。すなわち、被操作対象機器から機器状態を示す信号を受け取り、機器状態を確認した上で機器ランプ２１５等の制御を行う。図５に示すように、ＯＮ操作であれば「機器１」ボタン２１６ａと一体的に設けた機器ランプとしてのＬＥＤ２１５ａを点灯する。ＯＦＦ操作であれば「機器１」ボタン２１６ａと一体的に設けたＬＥＤ２１５ａを消灯する。なお、ＬＥＤの点滅制御については詳細を後述する。
【００５７】
一方、被操作対象機器がリモコン制御の場合は（Ｓ１０３）、該当機器が「ＯＮ／ＯＦＦ」制御か否か判断する（Ｓ１０５）。「ＯＮ／ＯＦＦ」制御でなければ、「順送り」制御であるので、ステップＳ１０６へ移行して制御内容記憶部２０９に「順送り」を書き込む。また、該当機器が「ＯＮ／ＯＦＦ」制御であった場合は「反転」操作時の「ＯＮ／ＯＦＦ」制御を実行する（Ｓ１０７）。
【００５８】
図８は「反転」操作時の「ＯＮ／ＯＦＦ」制御の詳細を示すフロー図である。反転制御計時部２１２より前回の反転制御からの経過時間を読み出し（Ｓ１２１）、前回の反転制御から１０秒経過しているか否か判断する（Ｓ１２２）。前回の反転制御から１０秒以上経過していた場合、機器状態記憶部２１３から被操作対象機器の現在の機器状態を読み出す（Ｓ１２３）。機器状態記憶部２１３には被操作対象機器から受信した状態通知信号に示された現在の機器状態が記憶されている。
【００５９】
制御装置２０１は、現在の機器状態が「ＯＮ」であれば（Ｓ１２４）、今は反転制御であるので、制御内容記憶部２０９に「ＯＦＦ」を書き込む（Ｓ１２５）。また、現在の機器状態が「ＯＦＦ」であれば（Ｓ１２４）、制御内容記憶部２０９に「ＯＮ」を書き込む（Ｓ１２６）。これにより、前回の制御内容と反対方向の制御内容が制御内容記憶部２０９に設定されたことになる。
【００６０】
制御内容記憶部２０９に制御内容の書き込みが完了するとその制御内容で被操作対象機器が制御されることとなる。制御方向履歴記憶部２２０には制御方向を把握するための履歴情報として制御内容記憶部２０９に書き込んだ制御内容（ＯＮ，ＯＦＦ）を書き込む（Ｓ１２７，１２８）。そして、反転制御計時部２１２で経過時間の計時を開始する（Ｓ１２９）。
【００６１】
ここで、反転制御計時部２１２で経過時間を計時する意味について説明する。ステップＳ１２３で機器状態記憶部２１３から読み出した被操作対象機器の現在の機器状態は実際の機器状態を正しく反映していない場合がある。具体的に、被操作対象機器が照明機器１１であるとする。照明機器１１をＯＮ／ＯＦＦ操作した場合、制御後の機器の状態は、前述した通りリモコン１８の内部照度センサ２３４の検出値を利用して把握しているものとする。昼間であると、室内に外光が入り込んで、照明機器１１を点灯した時と消灯したときの照度差が小さい場合がある。この場合、リモコン１８はＯＦＦ操作後であってもＯＮしていると誤認識し、ＯＮ状態であることを示す状態通知信号をテレコントロール装置１６へ送信しつづける。その結果、テレコントロール装置１６の機器状態記憶部２１３には機器状態として「ＯＮ」が書き込まれる。すなわち、機器状態記憶部２１３には常に「ＯＮ」が記憶される事態が発生し、制御内容記憶部２０９には常に「ＯＦＦ」が書き込まれることとなる。これでは、実質的に反転制御の機能が失われたこととなる。そこで、本例では、短時間内に機器ボタンを繰り返し押下したときには、機器状態記憶部２１３の機器状態に基づいた反転制御を実行するのではなく、制御方向履歴に基づいた反転制御を実行するようにした。１０秒経過する前に機器ボタンを押下したら、制御方向履歴に基づいて反転制御するモードに切り替えるようにした。なお、「１０秒」は目安であり適宜変更可能なパラメータである。
【００６２】
ステップＳ１２２で前回の反転制御から１０秒経過していないと判定した場合、制御方向履歴記憶部２２０より前回（最新）の制御内容を読み出す（Ｓ１３０）。直前の制御内容がＯＮであれば（Ｓ１３１）ステップＳ１２５へ移行して制御内容記憶部２０９にＯＦＦを書き込む。また、直前の制御内容がＯＦＦであれば（Ｓ１３１）ステップＳ１２６へ移行して制御内容記憶部２０９にＯＮを書き込む。これにより、昼間に照明機器１１を反転制御しようとした場合、照明機器１１の機器ボタンを押下するたびに制御内容としてＯＦＦしかでないといった不具合を解消できる。なお、順送り制御の場合はこのような問題は生じない。
【００６３】
次に、図６に示すように、制御内容記憶部２０９に書き込まれた制御内容を被操作対象機器へ送信する制御信号送信処理を実行する（Ｓ１０８）。すなわち、制御装置２０１は、制御内容記憶部２０９から制御内容を読み出し、当該制御内容を内容とする制御信号を制御信号送信部２０６から送信する。この制御信号を受信したリモコン又は被操作対象機器は制御信号に応じた機器制御を実行する。
【００６４】
次に、被操作対象機器に対して制御信号をリモコン経由で又は直接送信したら、制御時の表示処理を実行する（Ｓ１０９）。制御時の表示処理では、機器ランプ２１５で制御方向を表示し、その後に機器状態を表示する制御を行う。
【００６５】
図９，１０はステップＳ１０９の詳細を示すフロー図である。機器ボタン２１６の押下又はテレコン制御により機器制御が発生すると（Ｓ１４１）、テレコン設定値記憶部２０８より図７のテーブルデータを読み出す（Ｓ１４２）。機器制御の行われた該当機器がリモコン制御であるか否か判定する（Ｓ１４３）。図７に示す例では照明機器１１及びエアコン１２がリモコン制御である。
【００６６】
該当機器がリモコン制御である場合、さらに制御方式を判定する（Ｓ１４４）。該当機器の制御方式が「ＯＮ／ＯＦＦ」制御方式であれば、制御内容記憶部２０９より制御内容を読み出す（Ｓ１４５）。
【００６７】
なお、該当機器の制御方式が「ＯＮ／ＯＦＦ」制御方式以外で有れば（Ｓ１４４）、制御内容を判定する（Ｓ１４６，１４７，１４８）。ステップＳ１４８で制御内容が順送りであると判定した場合は、ＬＣＤ２１７に制御内容として「順送り」を表示させる（Ｓ１４９）。そして、機器状態記憶部２１３から現在の機器状態を読み出して判定し（Ｓ１５０）、現在の機器状態がＯＮならばステップＳ１６０（図１０）へ移行して機器ランプ２１５を３秒間消灯する。また、現在の機器状態がＯＦＦならばステップＳ１５７（図１０）へ移行して機器ランプ２１５を３秒間点灯する。このようにして、順送り制御によって機器状態がどのように変化したかを機器ランプ２１５によって表示することができる。
【００６８】
一方、該当機器の制御方式が「ＯＮ／ＯＦＦ」制御方式の場合、ステップＳ１４５で読み込んだ制御内容に基づいて、「順送り」「反転」「ＯＮ」（「ＯＦＦ」）の判定を行う（Ｓ１５１，１５２，１５３）。
【００６９】
ステップＳ１４４で該当機器は「ＯＮ／ＯＦＦ」制御方式であると判断したにも拘わらず、制御内容が「順送り」「反転」であった場合（Ｓ１５１，１５２）、矛盾する内容であるので機器ランプ２１５に制御方向を表示することなく制御後の機器状態を機器ランプ２１５に表示させる処理（ステップＳ１６１）へ移行する。
【００７０】
ステップＳ１５３で制御内容が「ＯＮ」と判定した場合、ＬＣＤ２１７に制御内容「ＯＮ」を表示する（Ｓ１５４）。そして、機器状態記憶部２１３より該当機器の現在の機器状態を確認し（Ｓ１５５）、現在の機器状態が「ＯＮ」ならば該当機器の機器番号に対して設けた機器ランプ２１５であるＬＥＤを３秒間点滅させる（Ｓ１５６）。これにより、現在の機器状態が「ＯＮ」のところ、制御内容として「ＯＮ」の指示をユーザが出したことを表示したことになる。ＬＥＤを３秒間点滅させることは警告の意味も含まれる。すなわち、照明機器１１がＯＮ（点灯）であるにも拘わらず、ユーザが「ＯＮ」指示を出した場合に、ＬＥＤを３秒間点滅させて既にＯＮ状態であることを警告する。ユーザが機器ボタン２１６を直接操作した場合には効果的である。また、現在の機器状態が「ＯＦＦ」ならば該当機器の機器番号に対して設けた機器ランプ２１５であるＬＥＤを３秒間点灯させる（Ｓ１５７）。これにより、現在の機器状態が「ＯＦＦ」のところ、制御内容として「ＯＮ」の指示をユーザが出したことを、機器ランプを短時間点灯することで、表示したことになる。
【００７１】
ステップＳ１５３で制御内容が「ＯＮ」でない判定した場合、すなわち「ＯＦＦ」と判定した場合は、ＬＣＤ２１７に制御内容「ＯＦＦ」を表示する（Ｓ１５８）。そして、機器状態記憶部２１３より該当機器の現在の機器状態を確認し（Ｓ１５９）、現在の機器状態が「ＯＦＦ」ならばステップＳ１５６へ移行して、該当機器の機器番号に対して設けた機器ランプ２１５であるＬＥＤを３秒間点滅させる（Ｓ１５６）。これにより、現在の機器状態が「ＯＦＦ」のところ、制御内容として「ＯＦＦ」の指示をユーザが出したことを表示したことになる。この場合のＬＥＤ点滅も警告の意味を持つ。すなわち、照明機器１１がＯＦＦ（消灯）であるにも拘わらず、ユーザが「ＯＦＦ」指示を出した場合に、ＬＥＤを３秒間点滅させて既にＯＦＦ状態であることを警告する。ユーザが機器ボタン２１６を直接操作した場合には効果的である。また、現在の機器状態が「ＯＮ」ならば機器ランプ２１５を３秒間消灯させる（Ｓ１６０）。これにより、現在の機器状態が「ＯＮ」のところ、制御内容として「ＯＦＦ」の指示をユーザが出したことを、機器ランプを短時間消灯することで、表示したことになる。
【００７２】
以上の処理が機器ランプによる制御方向の表示及び警告表示である。次に、機器ランプ制御により機器ランプ２１５に機器状態を反映させる機器ランプ制御を実行する（Ｓ１６１）。
【００７３】
図１１は機器ランプ制御の詳細を示すフロー図である。テレコン設定値記憶部２０８から図７のテーブルデータを読み出し（Ｓ１７１）、今回機器制御のあった機器の機器状態が取得可能な否か判断する（Ｓ１７２）。図７に示す例ではエアコン１２を除いて全て取得可能である。
【００７４】
機器状態を取得可能で有れば（Ｓ１７２）、機器状態記憶部２１３から該当機器の機器状態を読み出して確認する（Ｓ１７３）。その結果、機器状態がＯＮであった場合は、該当の機器ランプ２１５を点灯し（Ｓ１７４）、機器状態がＯＦＦであった場合は、該当の機器ランプ２１５を消灯する（Ｓ１７５）。これにより、機器制御後の機器状態を該当の機器ランプ２１５の制御（点灯／消灯）によって表現することができたことになる。
【００７５】
なお、ステップＳ１７２において機器状態を取得可能でなかった場合は、機器ランプ２１５を消灯する（Ｓ１７５）。
【００７６】
次に、図１０に示すように、ＬＣＤ２１７の表示制御を実行する（Ｓ１６２）。ステップＳ１６２ではＬＣＤ２１７の表示に機器制御後の機器の状態を反映させるＬＣＤ制御を実行する。
【００７７】
図１２はＬＣＤ制御の詳細を示すフロー図である。テレコン設定値記憶部２０８より図７のテーブルデータを読み出し（Ｓ１８１）、該当機器の機器状態を取得可能か否か判断する（Ｓ１８２）。機器状態を取得可能の場合は（Ｓ１８２）、機器状態記憶部２１３から機器状態を読み出す（Ｓ１８３）。そして、該当機器の機器状態がＯＮであれば、ＬＣＤ２１７に「ＯＮ」を表示し（Ｓ１８４）、該当機器の機器状態がＯＦＦであれば、ＬＣＤ２１７に「ＯＦＦ」を表示する（Ｓ１８５）。ＬＣＤ２１７に機器状態を表示して５秒経過したら表示を消去して次の表示に備える（Ｓ１８６）。以上が、機器ボタン２１６が押下された場合の動作内容である。
【００７８】
次に、テレコン制御による動作内容について説明する。
【００７９】
図１３，１４はテレコン制御のフロー図である。基本的には機器ボタン２１６が押下された場合の動作と同じである。
【００８０】
制御装置２０１は、着信信号検出部２０２及びＰＢ信号検出部２０３の検出信号からテレコンによる制御指示を検知する（Ｓ２０１）。テレコン制御指示を検出すると（Ｓ２０１）、テレコン設定値記憶部２０８から図７のテーブルデータを読み出し（Ｓ２０２）、該当機器がリモコン制御であるか否か判断する（Ｓ２０３）。
【００８１】
該当機器がリモコン制御以外で有れば有線ＪＥＭ−Ａ接続であるので、有線ＪＥＭ−Ａ制御を実行する（Ｓ２０４）。
【００８２】
一方、該当機器がリモコン制御で有れば（Ｓ２０３）、電話回線経由で受信した指示内容を判定する（Ｓ２０５，２０６，２０７，２０８）。
【００８３】
ステップＳ２０５で指示内容が「ＯＮ」であると判定した場合、該当機器の制御方式が「ＯＮ／ＯＦＦ制御」であるか否か判断する（Ｓ２０９）。指示内容がＯＮであるにも拘わらず、該当機器の制御方式が「ＯＮ／ＯＦＦ制御」以外で有ればＯＮ制御できないことは明らかであるのでエラーメッセージを出力する処理を実行する（Ｓ２１０）。また、該当機器が「ＯＮ／ＯＦＦ制御」の機器であれば（Ｓ２０９）、制御内容記憶部２０９に「ＯＮ」を書き込む（Ｓ２１１）。
【００８４】
ステップＳ２０６で指示内容が「ＯＦＦ」であると判定した場合、該当機器の制御方式が「ＯＮ／ＯＦＦ制御」であるか否か判断する（Ｓ２１２）。指示内容がＯＦＦであるにも拘わらず、該当機器の制御方式が「ＯＮ／ＯＦＦ制御」以外で有ればＯＦＦ制御できないことは明らかであるのでエラーメッセージを出力する処理を実行する（Ｓ２１０）。また、該当機器が「ＯＮ／ＯＦＦ制御」の機器であれば（Ｓ２１２）、制御内容記憶部２０９に「ＯＦＦ」を書き込む（Ｓ２１３）。
【００８５】
ステップＳ２０７で指示内容が「順送り」であると判定した場合、該当機器の制御方式が「ＯＮ／ＯＦＦ制御」であるか否か判断する（Ｓ２１４）。指示内容が順送りであるにも拘わらず、該当機器の制御方式が「ＯＮ／ＯＦＦ制御」で有れば順送り制御できないことは明らかであるのでエラーメッセージを出力する処理を実行する（Ｓ２１０）。また、該当機器が「ＯＮ／ＯＦＦ制御」以外の機器であれば（Ｓ２１４）、制御内容記憶部２０９に「順送り」を書き込む（Ｓ２１５）。
【００８６】
ステップＳ２０８で指示内容が「反転」であると判定した場合、該当機器の制御方式が「ＯＮ／ＯＦＦ制御」であるか否か判断する（Ｓ２１６）。ステップＳ２０８で指示内容が「反転」でない場合は、該当する制御方式が存在しないのでエラーメッセージを出力する処理を実行する（Ｓ２１０）。ステップＳ２０８で指示内容が反転であるにも拘わらず、該当機器の制御方式が「ＯＮ／ＯＦＦ制御」以外で有れば（Ｓ２１６）、反転制御できないことは明らかであるのでエラーメッセージを出力する処理を実行する（Ｓ２１０）。また、該当機器が「ＯＮ／ＯＦＦ制御」の機器であれば（Ｓ２１６）、「反転」操作時の「ＯＮ／ＯＦＦ」制御を実行する（Ｓ２１７）。ステップＳ２１７の処理の詳細は図８に示すフロー図に基づいた処理を実行する。「反転」操作時の「ＯＮ／ＯＦＦ」制御の詳細は前述した通りである。
【００８７】
以上のようにして制御内容記憶部２０９に指示内容に応じた制御内容が書き込まれた後、制御信号送信処理を実行する（Ｓ２１８）。すなわち、制御信号送信部２０６が制御内容記憶部２０９に記憶した制御内容を該当機器（リモコン１８，１９を含む）へ送信する。そして、最後に制御時の表示処理を実行する（Ｓ２１９）。制御時の表示処理は図９，１０に示した通りである。
【００８８】
このように本実施の形態によれば、機器ランプ２１５に操作してから３秒間は制御方向を表示し、その後に制御後の状態を表示するようにしたので、ユーザは機器ランプ２１５の表示により自己のボタン操作の結果実行される制御方向及び制御後の機器状態を知ることができる。
【００８９】
また、ＯＮ状態の該当機器に対してＯＮ指示を出した場合やＯＦＦ状態の該当機器にＯＦＦ指示を出した場合は、該当の機器ランプ２１５が点減するので、ユーザは自分の操作が不適切であったことを知ることができる。
【００９０】
また、反転操作時の「ＯＮ／ＯＦＦ」制御において短時間の間に機器ボタン２１６が押下されたり、テレコン指示を与えたりすることにより、確実に反転操作が実行されるようになった。
【産業上の利用可能性】
【００９１】
本発明は、機器ボタン又はテレコン制御で機器操作した時に制御方向を表示することができ、特に機器ボタンでの操作時には手元で制御方向を確認でき、電話回線を介して被制御機器を制御可能にするテレコントロール装置に適用できる。
【図面の簡単な説明】
【００９２】
【図１】一実施の形態に係るテレコントロールシステムの概念図
【図２】上記実施の形態におけるテレコントロール装置及びリモコンの機能ブロック図
【図３】テレコン操作時の照明機器のＯＮ／ＯＦＦ制御の概念図
【図４】テレコン操作時の照明機器の順送り制御の概念図
【図５】親機の平面図及び動作状態を示す図
【図６】機器ボタン押下処理のフロー図
【図７】テレコン設定となるテーブル構成図
【図８】「反転」操作時の「ＯＮ／ＯＦＦ」制御のフロー図
【図９】制御時の表示処理の前半部のフロー図
【図１０】制御時の表示処理の後半部のフロー図
【図１１】機器ランプ制御処理のフロー図
【図１２】ＬＣＤ制御処理のフロー図
【図１３】テレコン制御処理の前半部のフロー図
【図１４】テレコン制御処理の後半部のフロー図
【符号の説明】
【００９３】
１１  照明機器
１２  エアコンディショナー
１３  電動シャッター
１４  床暖房器具
１５  電気錠
１６  テレコントロール装置
１６−１  親機
１６−２  子機
１８、１９  リモコン
２０１，２３１  制御装置
２０２  着信信号検出部
２０３  ＰＢ信号検出部
２０４  ナンバーディスプレイ信号検出部
２０５  応答制御装置
２０６  制御信号送信部
２０７  状態通知信号受信部
２０８  テレコン設定値記憶部
２０９  制御内容記憶部
２１０  時刻記憶部
２１１  時刻計時部
２１２  反転制御計時部
２１３  機器状態記憶部
２１４  点滅周期制御装置
２１５  機器ランプ
２１６  機器ボタン
２１７  ＬＣＤ
２１９  外部照度センサ
２２０  制御方向履歴記憶部
２３２  制御信号受信部
２３３  状態通知信号送信部
２３４  内部照度センサ
２３５  内部照度センサ記憶部
２３６  機器状態記憶部
２３７  音声増幅部
２３８  音声観測カウンタ
２４３  外部照度センサ
【図１】
2005175817.tif 000003
【図２】
2005175817.tif 000004
【図３】
2005175817.tif 000005
【図４】
2005175817.tif 000006
【図５】
2005175817.tif 000007
【図６】
2005175817.tif 000008
【図７】
2005175817.tif 000009
【図８】
2005175817.tif 000010
【図９】
2005175817.tif 000011
【図１０】
2005175817.tif 000012
【図１１】
2005175817.tif 000013
【図１２】
2005175817.tif 000014
【図１３】
2005175817.tif 000015
【図１４】
2005175817.tif 000016